(57)【要約】    【課題】プラズマディスプレイ装置において、スキャンパルスの供給による隣接スキャン電極の電圧変化を防止する。    【解決手段】第１スキャン電極群の各スキャン電極にスキャンバイアス電圧を供給可能であると共に第１スキャン電極群のうちのいずれかのスキャン電極にスキャンパルスを供給するときに残りのスキャン電極をフローティング状態とする第１スキャン電極群駆動部３１０と、第２スキャン電極群の各スキャン電極にスキャンバイアス電圧を供給可能であると共に第２スキャン電極群のうちのいずれかのスキャン電極にスキャンパルスを供給するときに残りのスキャン電極をフローティング状態とする第２スキャン電極群駆動部３２０とを備える。一方のスキャン電極群駆動部がスキャンパルスを供給すると他方のスキャン電極群駆動はスキャンバイアス電圧を供給する。【選択図】図１
2008276232.tif 000002
【特許請求の範囲】
【請求項１】
第１スキャン電極群及び第２スキャン電極群を含むプラズマディスプレイパネルと、
前記第１スキャン電極群の各スキャン電極にスキャンバイアス電圧を供給可能であると共に、前記第１スキャン電極群のうちのいずれかのスキャン電極にスキャンパルスを供給するときに該第１スキャン電極群の残りのスキャン電極をフローティング状態とする第１スキャン電極群駆動部と、
前記第２スキャン電極群の各スキャン電極にスキャンバイアス電圧を供給可能であると共に、前記第２スキャン電極群のうちのいずれかのスキャン電極にスキャンパルスを供給するときに該第２スキャン電極群の残りのスキャン電極をフローティング状態とする第２スキャン電極群駆動部と、を備え、
前記第１スキャン電極群駆動部が前記第１スキャン電極群のうちのいずれかのスキャン電極に前記スキャンパルスを供給するときに、前記第２スキャン電極群駆動部は前記第２スキャン電極群の各スキャン電極に前記スキャンバイアス電圧を供給する一方、
前記第２スキャン電極群駆動部が前記第２スキャン電極群のうちのいずれかのスキャン電極に前記スキャンパルスを供給するときに、前記第１スキャン電極群駆動部は前記第１スキャン電極群の各スキャン電極に前記スキャンバイアス電圧を供給することを特徴とするプラズマディスプレイ装置。
【請求項２】
第１スキャン電極群及び第２スキャン電極群を含むプラズマディスプレイパネルと、
スキャンバイアス電圧及びスキャン電圧を供給する電圧供給部と、
前記電圧供給部から前記スキャンバイアス電圧の供給を受けて、前記第１スキャン電極群の各スキャン電極の電圧を前記スキャンバイアス電圧とする第１充電部と、
前記電圧供給部から前記スキャンバイアス電圧の供給を受けて、前記第２スキャン電極群の各スキャン電極の電圧を前記スキャンバイアス電圧とする第２充電部と、
前記電圧供給部から前記スキャン電圧の供給を受けて、前記第１スキャン電極群のうちのいずれか１つのスキャン電極に、該スキャン電極の電圧を前記スキャン電圧まで下降させるスキャンパルスを供給する一方、前記第１スキャン電極群の残りスキャン電極をフローティング状態とする第１スキャンパルス供給部と、
前記電圧供給部から前記スキャン電圧の供給を受けて、前記第２スキャン電極群のうちのいずれか１つのスキャン電極に、該スキャン電極の電圧を前記スキャン電圧まで下降されるスキャンパルスを供給する一方、前記第２スキャン電極群の残りスキャン電極をフローティング状態とする第２スキャンパルス供給部と、
前記スキャンパルスが供給された前記第１スキャン電極群のスキャン電極の電圧を前記スキャンバイアス電圧に復帰させる第１復帰部と、
前記スキャンパルスが供給された前記第２スキャン電極群のスキャン電極の電圧を前記スキャンバイアス電圧に復帰させる第２復帰部と、
を備えることを特徴とするプラズマディスプレイ装置。
【請求項３】
請求項１又は２に記載のプラズマディスプレイ装置であって、
前記第１スキャン電極群は隣接するスキャン電極のうちの一方を含み、前記第２スキャン電極群は前記隣接するスキャン電極のうちの他方を含むことを特徴とするプラズマディスプレイ装置。
【請求項４】
請求項１〜３のいずれか１つに記載のプラズマディスプレイ装置であって、
前記第１スキャン電極群は奇数番目のスキャン電極を含み、前記第２スキャン電極群は偶数番目のスキャン電極を含むことを特徴とするプラズマディスプレイ装置。
【請求項５】
請求項１〜４のいずれか１つの記載のプラズマディスプレイ装置であって、
前記スキャン電圧が、前記スキャンバイアス電圧の基準電圧であることを特徴とするプラズマディスプレイ装置。
【請求項６】
請求項２〜５のいずれか１つに記載のプラズマディスプレイ装置であって、
前記第１充電部は、一端が前記電圧供給部に繋がれる一方、他端が前記第１スキャン電極群の各スキャン電極に繋がれる第１抵抗を含み、該第１抵抗を介して前記スキャンバイアス電圧を前記第１スキャン電極群の各スキャン電極に供給するものであり、
前記第２充電部は、一端が前記電圧供給部に繋がれる一方、他端が前記第２スキャン電極群の各スキャン電極に繋がれる第２抵抗を含み、該第２抵抗を介して前記スキャンバイアス電圧を前記第２スキャン電極群の各スキャン電極に供給するものであることを特徴とするプラズマディスプレイ装置。
【請求項７】
請求項６記載のプラズマディスプレイ装置であって、
前記第１抵抗及び前記第２抵抗の少なくとも一方が可変抵抗として構成されることを特徴とするプラズマディスプレイ装置。
【請求項８】
請求項２〜７のいずれか１つに記載のプラズマディスプレイ装置であって、
前記第１スキャンパルス供給部が第１スキャン電極群のスキャン電極と同数の第１スイッチを含み、前記第２スキャンパルス供給部が前記第２スキャン電極群のスキャン電極と同数の第２スイッチを含む構成とし、
前記第１スイッチのそれぞれは、前記第１スキャン電極群のいずれかのスキャン電極に繋がれた第１段、前記電圧供給部に繋がれた第２段、及び、ターンオン／ターンオフ制御信号の供給を受ける第３段を備え、
前記第２スイッチのそれぞれは、前記第２スキャン電極群のいずれかのスキャン電極に繋がれた第１段、前記電圧供給部に繋がれた第２段、及び、ターンオン／ターンオフ制御信号の供給を受ける第３段を備えることを特徴とするプラズマディスプレイ装置。
【請求項９】
請求項２〜８のいずれか１つに記載のプラズマディスプレイ装置であって、
前記第１復帰部が第１復帰スイッチを含み、前記第２復帰部が第２復帰スイッチを含む構成とし、
前記第１復帰スイッチは、前記電圧供給部に繋がれた第１段、前記スキャンバイアス電圧を供給するために前記第１スキャン電極群の各スキャン電極に繋がれた第２段、及び、ターンオン／ターンオフ制御信号の供給を受ける第３段を備え、
前記第２復帰スイッチは、前記電圧供給部に繋がれた第１段、前記スキャンバイアス電圧を供給するために前記第２スキャン電極群の各スキャン電極に繋がれた第２段、及び、ターンオン／ターンオフ制御信号の供給を受ける第３段を備えることを特徴とするプラズマディスプレイ装置。
【請求項１０】
請求項２〜９のいずれか１つに記載のプラズマディスプレイ装置であって、
前記第１スキャン電極群の各スキャン電極から前記第１復帰部へと流れる電流、及び、前記第２スキャン電極群の各スキャン電極から前記第２復帰部へと流れる電流を遮断するブロッキングダイオードを備えることを特徴とするプラズマディスプレイ装置。
【請求項１１】
請求項１又は５に記載のプラズマディスプレイ装置であって、
前記プラズマディスプレイパネルは、第３スキャン電極群及び第４スキャン電極群を更に含み、
前記第３スキャン電極群の各スキャン電極に前記スキャンバイアス電圧を供給可能であると共に、前記第３スキャン電極群のうちのいずれかのスキャン電極にスキャンパルスを供給するときに該第３スキャン電極群の残りのスキャン電極をフローティング状態とする第３スキャン電極群駆動部と、
前記第４スキャン電極群の各スキャン電極に前記スキャンバイアス電圧を供給可能であると共に、前記第４スキャン電極群のうちのいずれかのスキャン電極にスキャンパルスを供給するときに該第４スキャン電極群の残りのスキャン電極をフローティング状態とする第４スキャン電極群駆動部と、を備え、
前記第１〜第４スキャン電極群駆動部のいずれかが前記スキャンパルスを供給するときに、該スキャンパルスを供給するスキャン電極群駆動部以外のスキャン電極群駆動部は、前記スキャンバイアスを供給することを特徴とするプラズマディスプレイ装置。
【請求項１２】
請求項２、５〜１０のいずれか１つに記載のプラズマディスプレイ装置であって、
前記プラズマディスプレイパネルは、第３スキャン電極群及び第４スキャン電極群を更に含み、
前記電圧供給部から前記スキャンバイアス電圧の供給を受けて、前記第３スキャン電極群の各スキャン電極の電圧を前記スキャンバイアス電圧とする第３充電部と、
前記電圧供給部から前記スキャンバイアス電圧の供給を受けて、前記第４スキャン電極群の各スキャン電極の電圧を前記スキャンバイアス電圧とする第４充電部と、
前記電圧供給部から前記スキャン電圧の供給を受けて、前記第３スキャン電極群のうちのいずれか１つのスキャン電極に該スキャン電極の電圧を前記スキャン電圧まで下降させるスキャンパルスを供給する一方、前記第３スキャン電極群の残りスキャン電極をフローティング状態とする第３スキャンパルス供給部と、
前記電圧供給部から前記スキャン電圧の供給を受けて、前記第４スキャン電極群のうちのいずれか１つのスキャン電極に該スキャン電極の電圧を前記スキャン電圧まで下降させるスキャンパルスを供給する一方、前記第４スキャン電極群の残りスキャン電極をフローティング状態とする第４スキャンパルス供給部と、
前記スキャンパルスが供給された前記第３スキャン電極群のスキャン電極の電圧を前記スキャンバイアス電圧に復帰させる第３復帰部と、
前記スキャンパルスが供給された前記第４スキャン電極群のスキャン電極の電圧を前記スキャンバイアス電圧に復帰させる第４復帰部と、
を備えることを特徴とするプラズマディスプレイ装置。
【請求項１３】
請求項１１又は１２に記載のプラズマディスプレイ装置であって、
前記第１スキャン電極群は、ｎを自然数としたときに、（４ｎ−３）番目のスキャン電極を含み、前記第２スキャン電極群は、（４ｎ−２）番目のスキャン電極を含み、前記第３スキャン電極群は、（４ｎ−１）番目のスキャン電極を含み、前記第４スキャン電極群は、（４ｎ）番目のスキャン電極を含むことを特徴とするプラズマディスプレイ装置。
【発明の詳細な説明】
【技術分野】
【０００１】
本発明は、プラズマディスプレイ装置に関し、特にスキャンパルスの供給による隣接するスキャン電極の電圧変動を防止するプラズマディスプレイ装置に関する。
【背景技術】
【０００２】
プラズマディスプレイ装置は、プラズマディスプレイパネルと駆動部を含んで構成される。プラズマディスプレイパネルは隔壁によって区画された放電セルを含む。駆動部がプラズマディスプレイパネルの電極に駆動信号を供給すれば、該駆動信号によって放電セルで放電が発生し、この放電が放電セル内部の蛍光体を励起させ、蛍光体が光を放出する。
【０００３】
プラズマディスプレイ装置は、サブフィールドの組み合わせによって階調を表現する。すなわち、プラズマディスプレイ装置は、各サブフィールド間の光を外部に放出してサブフィールドそれぞれから外部に放出された光量の組み合わせによって階調が表現される。
【０００４】
各サブフィールドは、リセット期間、アドレス期間及びサステイン期間を含む。リセット期間の間、プラズマディスプレイパネルの全体放電セルの壁電荷が均一に形成される。アドレス期間の間、光を放出する放電セルが選択される。サステイン期間中、選択された放電セルから光が放出される。
【発明の開示】
【発明が解決しようとする課題】
【０００５】
ここで、プラズマディスプレイ装置の駆動部は、プラズマディスプレイパネルの駆動のために駆動信号を安定的に供給しなければならない。
【０００６】
しかし、例えばアドレス期間におけるスキャンパルスの供給によって、該供給を受けたスキャン電極に隣接するスキャン電極の電圧が変化してしまう場合がある。
このようなスキャン電極の電圧変化は、駆動信号の安定的供給に影響を与えて放電のバラツキ等を招くおそれがあるため、可能な限り防止することが好ましい。
そこで、本発明は、プラズマディスプレイ装置において、スキャンパルスの供給による隣接スキャン電極の電圧変化を効果的に防止することを目的とする。
【課題を解決するための手段】
【０００７】
上記目的を達成するため、本発明によるプラズマディスプレイ装置は、第１スキャン電極群及び第２スキャン電極群を含むプラズマディスプレイパネルと、前記第１スキャン電極群の各スキャン電極にスキャンバイアス電圧を供給可能であると共に、前記第１スキャン電極群のうちのいずれかのスキャン電極にスキャンパルスを供給するときに該第１スキャン電極群の残りのスキャン電極をフローティング状態とする第１スキャン電極群駆動部と、前記第２スキャン電極群の各スキャン電極にスキャンバイアス電圧を供給可能であると共に、前記第２スキャン電極群のうちのいずれかのスキャン電極にスキャンパルスを供給するときに該第２スキャン電極群の残りのスキャン電極をフローティング状態とする第２スキャン電極群駆動部と、を備え、前記第１スキャン電極群駆動部が前記第１スキャン電極群のうちのいずれかのスキャン電極に前記スキャンパルスを供給するときに、前記第２スキャン電極群駆動部は前記第２スキャン電極群の各スキャン電極に前記スキャンバイアス電圧を供給する一方前記第２スキャン電極群駆動部が前記第２スキャン電極群のうちのいずれかのスキャン電極に前記スキャンパルスを供給するときに、前記第１スキャン電極群駆動部は前記第１スキャン電極群の各スキャン電極に前記スキャンバイアス電圧を供給することを特徴とする。
【０００８】
また、本発明によるプラズマディスプレイ装置は、第１スキャン電極群及び第２スキャン電極群を含むプラズマディスプレイパネルと、スキャンバイアス電圧及びスキャン電圧を供給する電圧供給部と、前記電圧供給部から前記スキャンバイアス電圧の供給を受けて、前記第１スキャン電極群の各スキャン電極の電圧を前記スキャンバイアス電圧とする第１充電部と、前記電圧供給部から前記スキャンバイアス電圧の供給を受けて、前記第２スキャン電極群の各スキャン電極の電圧を前記スキャンバイアス電圧とする第２充電部と、前記電圧供給部から前記スキャン電圧の供給を受けて、前記第１スキャン電極群のうちのいずれか１つのスキャン電極に、該スキャン電極の電圧を前記スキャン電圧まで下降させるスキャンパルスを供給する一方、前記第１スキャン電極群の残りスキャン電極をフローティング状態とする第１スキャンパルス供給部と、前記電圧供給部から前記スキャン電圧の供給を受けて、前記第２スキャン電極群のうちのいずれか１つのスキャン電極に、該スキャン電極の電圧を前記スキャン電圧まで下降されるスキャンパルスを供給する一方、前記第２スキャン電極群の残りスキャン電極をフローティング状態とする第２スキャンパルス供給部と、前記スキャンパルスが供給された前記第１スキャン電極群のスキャン電極の電圧を前記スキャンバイアス電圧に復帰させる第１復帰部と、前記スキャンパルスが供給された前記第２スキャン電極群のスキャン電極の電圧を前記スキャンバイアス電圧に復帰させる第２復帰部と、を備えることを特徴とする。
【０００９】
ここで、前記第１スキャン電極群は隣接するスキャン電極のうちの一方を含み、前記第２スキャン電極群は前記隣接するスキャン電極のうちの他方を含むようにするのが好ましい。また、前記第１スキャン電極群は奇数番目のスキャン電極を含み、前記第２スキャン電極群は偶数番目のスキャン電極を含むようにしてもよい。
【００１０】
前記スキャン電圧は、前記スキャンバイアス電圧の基準電圧とすることが好ましい。
【００１１】
前記第１充電部は、一端が前記電圧供給部に繋がれる一方、他端が前記第１スキャン電極群の各スキャン電極に繋がれる第１抵抗を含み、該第１抵抗を介して前記スキャンバイアス電圧を前記第１スキャン電極群の各スキャン電極に供給するものであり、前記第２充電部は、一端が前記電圧供給部に繋がれる一方、他端が前記第２スキャン電極群の各スキャン電極に繋がれる第２抵抗を含み、該第２抵抗を介して前記スキャンバイアス電圧を前記第２スキャン電極群の各スキャン電極に供給するものとすることができる。
【００１２】
ここで、前記第１抵抗及び前記第２抵抗の少なくとも一方が可変抵抗として構成されるようにしてもよい。
【００１３】
また、前記第１スキャンパルス供給部が第１スキャン電極群のスキャン電極と同数の第１スイッチを含み、前記第２スキャンパルス供給部が前記第２スキャン電極群のスキャン電極と同数の第２スイッチを含む構成とし、前記第１スイッチのそれぞれは、前記第１スキャン電極群のいずれかのスキャン電極に繋がれた第１段、前記電圧供給部に繋がれた第２段、及び、ターンオン／ターンオフ制御信号の供給を受ける第３段を備え、前記第２スイッチのそれぞれは、前記第２スキャン電極群のいずれかのスキャン電極に繋がれた第１段、前記電圧供給部に繋がれた第２段、及び、ターンオン／ターンオフ制御信号の供給を受ける第３段を備えるものとすることができる。
【００１４】
また、前記第１復帰部が第１復帰スイッチを含み、前記第２復帰部が第２復帰スイッチを含む構成とし、前記第１復帰スイッチは、前記電圧供給部に繋がれた第１段、前記スキャンバイアス電圧を供給するために前記第１スキャン電極群の各スキャン電極に繋がれた第２段、及び、ターンオン／ターンオフ制御信号の供給を受ける第３段を備え、前記第２復帰スイッチは、前記電圧供給部に繋がれた第１段、前記スキャンバイアス電圧を供給するために前記第２スキャン電極群の各スキャン電極に繋がれた第２段、及び、ターンオン／ターンオフ制御信号の供給を受ける第３段を備えるものとすることができる。
【００１５】
また、前記第１スキャン電極群の各スキャン電極から前記第１復帰部へと流れる電流、及び、前記第２スキャン電極群の各スキャン電極から前記第２復帰部へと流れる電流を遮断するブロッキングダイオードを備えるようにしてもよい。
【００１６】
さらに、前記プラズマディスプレイパネルは、第３スキャン電極群及び第４スキャン電極群を更に含み、前記第３スキャン電極群の各スキャン電極に前記スキャンバイアス電圧を供給可能であると共に、前記第３スキャン電極群のうちのいずれかのスキャン電極にスキャンパルスを供給するときに該第３スキャン電極群の残りのスキャン電極をフローティング状態とする第３スキャン電極群駆動部と、前記第４スキャン電極群の各スキャン電極に前記スキャンバイアス電圧を供給可能であると共に、前記第４スキャン電極群のうちのいずれかのスキャン電極にスキャンパルスを供給するときに該第４スキャン電極群の残りのスキャン電極をフローティング状態とする第４スキャン電極群駆動部と、を備え、
前記第１〜第４スキャン電極群駆動部のいずれかが前記スキャンパルスを供給するときに、該スキャンパルスを供給するスキャン電極群駆動部以外のスキャン電極群駆動部は、前記スキャンバイアスを供給するようにしてもよい。
【００１７】
さらにまた、前記プラズマディスプレイパネルは、第３スキャン電極群及び第４スキャン電極群を更に含み、前記電圧供給部から前記スキャンバイアス電圧の供給を受けて、前記第３スキャン電極群の各スキャン電極の電圧を前記スキャンバイアス電圧とする第３充電部と、前記電圧供給部から前記スキャンバイアス電圧の供給を受けて、前記第４スキャン電極群の各スキャン電極の電圧を前記スキャンバイアス電圧とする第４充電部と、前記電圧供給部から前記スキャン電圧の供給を受けて、前記第３スキャン電極群のうちのいずれか１つのスキャン電極に該スキャン電極の電圧を前記スキャン電圧まで下降させるスキャンパルスを供給する一方、前記第３スキャン電極群の残りスキャン電極をフローティング状態とする第３スキャンパルス供給部と、前記電圧供給部から前記スキャン電圧の供給を受けて、前記第４スキャン電極群のうちのいずれか１つのスキャン電極に該スキャン電極の電圧を前記スキャン電圧まで下降させるスキャンパルスを供給する一方、前記第４スキャン電極群の残りスキャン電極をフローティング状態とする第４スキャンパルス供給部と、前記スキャンパルスが供給された前記第３スキャン電極群のスキャン電極の電圧を前記スキャンバイアス電圧に復帰させる第３復帰部と、前記スキャンパルスが供給された前記第４スキャン電極群のスキャン電極の電圧を前記スキャンバイアス電圧に復帰させる第４復帰部と、を備える構成としてもよい。
【００１８】
この場合において、前記第１スキャン電極群は、ｎを自然数としたときに、（４ｎ−３）番目のスキャン電極を含み、前記第２スキャン電極群は、（４ｎ−２）番目のスキャン電極を含み、前記第３スキャン電極群は、（４ｎ−１）番目のスキャン電極を含み、前記第４スキャン電極群は、（４ｎ）番目のスキャン電極を含むことができる。
【発明の効果】
【００１９】
本発明によるプラズマディスプレイ装置によると、プラズマディスプレイ装置の構造を複雑化することなく、いずれかのスキャン電極にスキャンパルスを供給するときに、該スキャン電極に隣接するスキャン電極の電圧変化（電圧変動）を効果的に防止できる、という効果がある。
【発明を実施するための最良の形態】
【００２０】
以下、本発明の好ましい実施形態について添付図面を参照して詳細に説明する。
図１は、本発明の第１実施形態に係るプラズマディスプレイ装置を示している。図１に示すように、第１実施形態に係るプラズマディスプレイ装置は、プラズマディスプレイパネル１００、電圧供給部２００及び駆動部３００を含んで構成される。
【００２１】
プラズマディスプレイパネル１００は、１つ以上のスキャン電極からなる第１スキャン電極群（ＹＧ１）と、同じく１つ以上のスキャン電極群からなる第２スキャン電極群（ＹＧ２）と、データ電極（アドレス電極）群（Ｘ１〜Ｘｍ）とを含む。第１スキャン電極群（ＹＧ１）に含まれるスキャン電極及び第２スキャン電極群（ＹＧ２）に含まれるスキャン電極は、データ電極群を構成する各データ電極（Ｘ１〜Ｘｍ）と交差しており、プラズマディスプレイパネル１００は、この交差された領域に位置する放電セルを含む。
アドレス期間には、スキャンバイアス電圧から負極性のスキャン電圧まで下降するスキャンパルスがスキャン電極（Ｙ）に順次供給され、データ電極（Ｘ）に正極性のデータパルスが印加される。このとき、図示しないサステイン電極には正極性のバイアス電圧が維持される。これにより、アドレス期間の間、スキャンパルス及びデータパルスの電圧差によってアドレス放電が発生して放電セルが選択される。
【００２２】
ここで、第１スキャン電極群（ＹＧ１）には、互いに隣接するスキャン電極の一方が含まれ、第２スキャン電極群（ＹＧ２）には、他方が含まれるのが好ましい。但し、これに限るものではなく、場合によっては、第１スキャン電極群に含まれるスキャン電極と、第２スキャン電極群（ＹＧ２）に含まれるスキャン電極とが、互いに隣接するように位置することもできる。
【００２３】
電圧供給部２００は、スキャンバイアス電圧及びスキャン電圧を供給する。スキャンバイアス電圧は、アドレス期間においてスキャンパルスが供給されないときにスキャン電極に供給される電圧であり、ここでは第１電圧（Ｖ１）と第２電圧（−Ｖ２）との合計電圧（Ｖ１−Ｖ２）である。また、スキャン電圧は、アドレス期間において走査ラインを選択するために供給される電圧であり、ここでは第２電圧（−Ｖ２）である。
このとき、電圧供給部２００の第１端子（Ｔ１）を通じて供給されるスキャンバイアス電圧の基準電圧が、第２端子（Ｔ２）を通じて供給されるスキャン電圧、すなわち、第２電圧（−Ｖ２）であることが好ましい。このようにすると、スキャン電圧がスキャンバイアス電圧の基準電圧となるので、電圧供給部２００は、スキャンバイアス電圧の基準電圧を供給する回路と、スキャン電圧を供給する回路とを別々に備える必要がないので構成が簡単になる。
【００２４】
駆動部３００は、電圧供給部２００から第１電圧（Ｖ１）と第２電圧（−Ｖ２）との合計電圧（Ｖ１−Ｖ２）の供給を受けて第１スキャン電極群（ＹＧ１）及び第２スキャン電極群（ＹＧ２）にスキャンバイアス電圧（Ｖｓｂ）を供給する。
また、駆動部３００は、第１スキャン電極群（ＹＧ１）のうちのいずれか（１つ）のスキャン電極にスキャンパルスを供給すると、第１スキャン電極群（ＹＧ１）の残りのスキャン電極をフローティング状態とし、第２スキャン電極群（ＹＧ２）のうちのいずれか（１つ）のスキャン電極にスキャンパルスを供給すると、第２スキャン電極群（ＹＧ２）の残りスキャン電極をフローティング状態とする。ここで、第２電圧（−Ｖ２）は、スキャン電極に供給されるスキャンパルスの最低電圧に相当する。
【００２５】
さらに、駆動部３００は、第１スキャン電極群駆動部３１０及び第２スキャン電極群駆動部３２０を含んでいる。
第１スキャン電極群駆動部３１０は、第１充電遅延部（本発明の「第１充電部」に相当する）３１１、第１スキャンパルス供給部３１３及び第１電圧復帰部（本発明の「第１復帰部」に相当する）３１５を含む。
また、第２スキャン電極群駆動部３２０は、第２充電遅延部（本発明の「第２充電部」に相当する）３２１、第２スキャンパルス供給部３２３及び第２電圧復帰部（本発明の「第２復帰部」に相当する）３２５を含む。
【００２６】
第１充電遅延部３１１、第２充電遅延部３２１は、それぞれ電圧供給部３００から上記合計電圧（Ｖ１−Ｖ２）の供給を受けて、第１スキャン電極群（ＹＧ１）、第２スキャン電極群（ＹＧ２）にスキャンバイアス電圧を供給する。上記したように、スキャンバイアス電圧は上記合計電圧（Ｖ１−Ｖ２）と実質的に同じである。
第１充電遅延部３１１は、第１抵抗（Ｒ１、Ｒ３）を含み、第２充電遅延部３２１は、第２抵抗（Ｒ２、Ｒ４）を含んでいる。
第１抵抗（Ｒ１、Ｒ３）は、電圧供給部３００に繋がれた一端と、第１スキャン電極群（ＹＧ１）に含まれたスキャン電極（Ｙ１、Ｙ３）に繋がれた他端とを有し、第２抵抗（Ｒ２、Ｒ４）は、電圧供給部３００に繋がれた一端と、第２スキャン電極群（ＹＧ２）に含まれたスキャン電極（Ｙ２、Ｙ４）に繋がれた他端とを有する。
【００２７】
第１スキャンパルス供給部３１３は、電圧供給部２００から第２電圧（−Ｖ２）を入力し、第１スキャン電極群（ＹＧ１）のうちのいずれか（１つ）のスキャン電極に対し、該スキャン電極の電圧を、最低電圧である第２電圧（−Ｖ２）とする（すなわち、第２電圧（−Ｖ２）まで下降させる）スキャンパルスを供給する一方、第１スキャン電極群（ＹＧ１）の残りスキャン電極（他のスキャン電極）をフローティング状態とする。
第１スキャンパルス供給部３１３は、第１スイッチ（Ｑ１、Ｑ３）を含む。第１スイッチ（Ｑ１、Ｑ３）は、第１抵抗（Ｒ１、Ｒ３）の上記他端及び第１スキャン電極群（ＹＧ１）のスキャン電極（Ｙ１、Ｙ３）の共通端に繋がれた第１段と、電圧供給部２００に繋がれた第２段と、ターンオン／ターンオフ制御信号の供給を受ける第３段とを備える。
【００２８】
第２スキャンパルス供給部３２３は、電圧供給部２００から第２電圧（−Ｖ２）を入力し、第２スキャン電極群（ＹＧ２）のうちのいずれか（１つ）のスキャン電極に対し、該スキャン電極の電圧を、最低電圧である第２電圧（−Ｖ２）とする（すなわち、第２電圧（−Ｖ２）まで下降させる）スキャンパルスを供給する一方、第２スキャン電極群（ＹＧ２）の残りスキャン電極（他のスキャン電極）をフローティング状態とする。
第２スキャンパルス供給部３２３は、第２スイッチ（Ｑ２、Ｑ４）を含む。第２スイッチ（Ｑ２、Ｑ４）は、第２抵抗（Ｒ２、Ｒ４）の上記他端及び第２スキャン電極群のスキャン電極（Ｙ２、Ｙ４）に共通端と繋がれた第１段と、電圧供給部２００に繋がれた第２段と、ターンオン／ターンオフ制御信号の供給を受ける第３段とを備える。
【００２９】
第１電圧復帰部３１５は、第１スキャンパルス供給部３１３によってスキャンパルスが供給されたスキャン電極にスキャンバイアス電圧を供給し、第２電圧（−Ｖ２）まで下降した第１スキャン電極群（ＹＧ１）のスキャン電極の電圧をスキャンバイアス電圧（Ｖｓｂ）に復帰させる。
第１電圧復帰部３１５は、第１復帰スイッチ（ＳＷ１）を含む。第１復帰スイッチ（ＳＷ１）は、電圧供給部２００に繋がれた第１段と、第１スキャン電極群（ＹＧ１）の各スキャン電極にスキャンバイアス電圧を供給するための第２段と、制御信号の供給を受ける第３段とを含む。
【００３０】
第２電圧復帰部３２５は、第２スキャンパルス供給部３２３によってスキャンパルスが供給されたスキャン電極にスキャンバイアス電圧を供給し、第２電圧（−Ｖ２）まで下降した第２スキャン電極群（ＹＧ２）のスキャン電極の電圧をスキャンバイアス電圧（Ｖｓｂ）に復帰させる。
第２復帰スイッチ（ＳＷ２）は、電圧供給部２００に繋がれた第１段と、第２スキャン電極群（ＹＧ２）の各スキャン電極にスキャンバイアス電圧を供給するための第２段と、制御信号の供給を受ける第３段とを含む。
【００３１】
また、駆動部３００は、逆電流、すなわち、スキャン電極から第１電圧復帰部３１５及び第２電圧復帰部３２５へと流れる電流を遮断するためのブロッキングダイオード（ｂｌｏｃｋｉｎｇ ｄｉｏｄｅ）（図中のＢＤ１〜ＢＤ４）を含む。
第１復帰スイッチ（ＳＷ１）の第２段は、ブロッキングダイオード（ＢＤ１、ＢＤ３）のアノード端に繋がれる。ブロッキングダイオード（ＢＤ１、ＢＤ３）のカソード端は、第１スキャン電極群（ＹＧ１）のスキャン電極（Ｙ１、Ｙ３）に繋がれる。
第２復帰スイッチ（ＳＷ２）の第２段は、ブロッキングダイオード（ＢＤ２、ＢＤ４）のアノード端に繋がれる。ブロッキングダイオード（ＢＤ２、ＢＤ４）のカソード端は、第２スキャン電極群（ＹＧ２）のスキャン電極（Ｙ２、Ｙ４）に繋がれる。
【００３２】
このような第１電圧復帰部３１５及び第２電圧復帰部３２５の動作によって、スキャンパルスが供給されたスキャン電極の電圧は、第２電圧（−Ｖ２）からスキャンバイアス電圧まで上昇し、残りのスキャン電極の電圧はスキャンバイアス電圧に維持される。
【００３３】
一方、図１のＣＤ１−１、ＣＤ１−２、ＣＤ２−１及びＣＤ２−２は、スキャン電極（Ｙ１〜Ｙ４）の電圧が一定レベル以上となったり、一定レベル以下となったりしないようにするためクランピングダイオード（ｃｌａｍｐｉｎｇ ｄｉｏｄｅ）である。
また、レベルシフター（ｌｅｖｅｌ ｓｈｉｆｔｅｒ）５００は、第１復帰スイッチ（ＳＷ１）、第２復帰スイッチ（ＳＷ２）にターンオン／ターンオフ制御信号を出力する。但し、これに限るものではなく、第１復帰スイッチ（ＳＷ１）、第２復帰スイッチ（ＳＷ２）が、レベルシフター５００以外のコントローラ等の装置からターンオン／ターンオフ制御信号を受けるようにしてもよいし、また、駆動部３００の外部からターンオン／ターンオフ制御信号を受けるようにしてもよい。
【００３４】
次に、図１及び図２を参照して本発明の実施形態に係るプラズマディスプレイ装置の動作を詳しく説明する。
【００３５】
図２は、本発明の第１実施形態に係るプラズマディスプレイ装置のスイッチングタイミングを示している。図２におけるスキャン電極（Ｙ１、Ｙ３）は、第１スキャン電極群（ＹＧ１）に含まれ、スキャン電極（Ｙ２、Ｙ４）は、第２スキャン電極群（ＹＧ２）に含まれるものである。
【００３６】
第１充電遅延部３１１は、電圧供給部２００から合計電圧（Ｖ１−Ｖ２）の供給を受けて第１スキャン電極群（ＹＧ１）の各スキャン電極にスキャンバイアス電圧（Ｖｓｂ）を供給する。また、第２充電遅延部３２１は、電圧供給部２００から合計電圧（Ｖ１−Ｖ２）の供給を受けて第２スキャン電極群（ＹＧ２）の各スキャン電極にスキャンバイアス電圧（Ｖｓｂ）を供給する。
すなわち、第１充電遅延部３１１及び第２充電遅延部３２１の一方端を通じて合計電圧（Ｖ１−Ｖ２）が供給されると、スキャン電極（Ｙ１〜Ｙ４）の電圧が該合計電圧（Ｖ１−Ｖ２）になるまでプラズマディスプレイパネル１００の充電が行われる。
そして、スキャン電極（Ｙ１〜Ｙ４）の電圧が合計電圧（Ｖ１−Ｖ２）になると、第１充電遅延部３１１及び第２充電遅延部３２１の両端の間の電圧差がなくなるため、第１充電遅延部３１１及び第２充電遅延部３２１には電流が流れなくなる。このようにして、各スキャン電極（Ｙ１〜Ｙ４）の電圧が合計電圧（Ｖ１−Ｖ２）、すなわち、スキャンバイアス電圧とされる。
【００３７】
ここで、第１充電遅延部３１１及び第２充電遅延部３２１に含まれる抵抗の大きさを変えることよってプラズマディスプレイパネル１００の充電時間を調節することができる。また、第１充電遅延部３１１の第１抵抗（Ｒ１、Ｒ３）及び第２充電遅延部３２１の第２抵抗（Ｒ２、Ｒ４）が可変抵抗の場合には、抵抗の入れ替えなしに（すなわち、交換することなく）充電時間が調節することが可能となる。
【００３８】
次いで、第１スキャンパルス供給部３１３のスイッチ（Ｑ１）がターンオンされると、駆動部３００は、電圧供給部２００から第２電圧（−Ｖ２）を入力して、スキャン電極（Ｙ１）に、該スキャン電極（Ｙ１）の電圧を最低電圧である第２電圧（−Ｖ２）とするスキャンパルス、言い換えると、スキャンバイアス電圧（Ｖｓｂ）から負極性の第２電圧（−Ｖ２）まで下降させるスキャンパルスを供給する。
【００３９】
スキャン電極（Ｙ１）にスキャンパルスが供給されている間、第１スキャンパルス供給部３１３及び第２スキャンパルス供給部３２３のスイッチ（Ｑ２、Ｑ３、Ｑ４）はターンオフされる。また、第１復帰スイッチ（ＳＷ１）がターンオフされ、第２復帰スイッチ（ＳＷ２）がターンオンされる。
【００４０】
第１復帰スイッチ（ＳＷ１）及びスイッチ（Ｑ３）がターンオフされるので、スキャン電極（Ｙ３）用の第１充電遅延部３１１には電流が流れず、該スキャン電極（Ｙ３）はフローティング状態になる。スキャン電極（Ｙ３）はフローティング状態になるが、プラズマディスプレイパネル１００はスキャンバイアス電圧（Ｖｓｂ）に充電されているので、スキャン電極（Ｙ３）の電圧はスキャンバイアス電圧（Ｖｓｂ）に維持される。すなわち、スキャン電極（Ｙ１）以外の第１スキャン電極群（ＹＧ１）のスキャン電極の電圧はスキャンバイアス電圧（Ｖｓｂ）に維持される。
一方、第２復帰スイッチ（ＳＷ２）がターンオンされることにより、第２スキャン電極群（ＹＧ２）には合計電圧（Ｖ１−Ｖ２）に相当するスキャンバイアス電圧（Ｖｓｂ）が供給される。
【００４１】
次いで、第１復帰スイッチ（ＳＷ１）がターンオンされ、第２復帰スイッチ（ＳＷ２）がターンオフされる。また、スイッチ（Ｑ１、Ｑ３、Ｑ４）がターンオフされ、スイッチ（Ｑ２）がターンオンされる。
【００４２】
これにより、第１スキャン電極群（ＹＧ１）のスキャン電極（Ｙ１）の電圧は、第２電圧（−Ｖ２）からスキャンバイアス電圧（Ｖｓｂ）まで上昇し、第１スキャン電極群（ＹＧ１）のスキャン電極（Ｙ３）にはスキャンバイアス電圧（Ｖｓｂ）が供給される。
一方、スイッチ（Ｑ２）のターンオンによって、第２スキャン電極群（ＹＧ２）のスキャン電極（Ｙ２）に、該スキャン電極（Ｙ２）の電圧を最低電圧である第２電圧（−Ｖ２）とするスキャンパルス、すなわち、スキャンバイアス電圧（Ｖｓｂ）から負極性の第２電圧（−Ｖ２）まで下降させるスキャンパルスが供給される。
また、第２復帰スイッチ（ＳＷ２）及びスイッチ（Ｑ４）がターンオフされるので、第２スキャン電極群（ＹＧ２）のスキャン電極（Ｙ４）はフローティング状態になる。これにより、第２スキャン電極群（ＹＧ２）のスキャン電極（Ｙ４）、すなわち、スキャンパルスが供給されたスキャン電極（Ｙ２）以外の第２スキャン電極群（ＹＧ２）のスキャン電極の電圧は、スキャンバイアス電圧（Ｖｓｂ）に維持される。
【００４３】
次いで、第２復帰スイッチ（ＳＷ２）がターンオンされ、第１復帰スイッチ（ＳＷ１）がターンオフされる。また、スイッチ（Ｑ１、Ｑ２、Ｑ４）がターンオフされ、スイッチ（Ｑ３）がターンオンされる。
【００４４】
これにより、第２スキャン電極群（ＹＧ２）のスキャン電極（Ｙ２）の電圧は、第２電圧（−Ｖ２）からスキャンバイアス電圧（Ｖｓｂ）まで上昇し、第２スキャン電極群（ＹＧ２）のスキャン電極（Ｙ４）には、スキャンバイアス電圧（Ｖｓｂ）が供給される。
一方、スイッチ（Ｑ３）のターンオンによって、第１スキャン電極群（ＹＧ１）のスキャン電極（Ｙ３）に、該スキャン電極（Ｙ３）の電圧を最低電圧である第２電圧（−Ｖ２）とするスキャンパルスが供給される。
また、第１復帰スイッチ（ＳＷ１）及びスイッチ（Ｑ１）がターンオフされるので、第１スキャン電極群（ＹＧ１）のスキャン電極（Ｙ１）はフローティング状態になる。
これにより、第１スキャン電極群（ＹＧ１）のスキャン電極（Ｙ１）の電圧は、スキャンバイアス電圧（Ｖｓｂ）に維持される。
【００４５】
次いで、第１復帰スイッチ（ＳＷ１）がターンオンされ、第２復帰スイッチ（ＳＷ２）がターンオフされる。また、スイッチ（Ｑ１、Ｑ２、Ｑ３）がターンオフされ、スイッチ（Ｑ４）がターンオンされる。
【００４６】
これにより、第１スキャン電極群（ＹＧ１）のスキャン電極（Ｙ３）の電圧は、第２電圧（−Ｖ２）からスキャンバイアス電圧（Ｖｓｂ）まで上昇し、第１スキャン電極群（ＹＧ１）のスキャン電極（Ｙ１）には、スキャンバイアス電圧（Ｖｓｂ）が供給される。
一方、スイッチ（Ｑ４）のターンオンによって、第２スキャン電極群（ＹＧ２）のスキャン電極（Ｙ４）に、該スキャン電極（Ｙ４）の電圧を最低電圧である第２電圧（−Ｖ２）とするスキャンパルスが供給される。
また、第２復帰スイッチ（ＳＷ２）及びスイッチ（Ｑ２）がターンオフされるので、第２スキャン電極群（ＹＧ２）のスキャン電極（Ｙ２）はフローティング状態になる。
これにより、第２スキャン電極群（ＹＧ２）のスキャン電極（Ｙ２）の電圧は、スキャンバイアス電圧（Ｖｓｂ）に維持される。
【００４７】
以上のように、本発明の第１実施形態に係るプラズマディスプレイ装置は、奇数番目スキャン電極（Ｙ１、Ｙ３）と、偶数番目スキャン電極（Ｙ２、Ｙ４）とを独立的に駆動する。これにより、奇数番目スキャン電極と偶数番目スキャン電極とが（Ｙ１とＹ２、Ｙ２とＹ３、または、Ｙ３とＹ４）互いに隣接していても、奇数番目スキャン電極の電圧変化または偶数番目スキャン電極の電圧変化による隣接スキャン電極の電圧変化を抑制することが可能となる。
【００４８】
例えば、スキャン電極（Ｙ１）にスキャンパルスが供給される時にはスイッチ（ＳＷ２）がターンオンされ、該スキャン電極（Ｙ１）に隣接するスキャン電極（Ｙ２）にはスキャンバイアス電圧（Ｖｓｂ）が供給されるので、スキャン電極（Ｙ１）へのスキャンパルスの供給によって、隣接するスキャン電極（Ｙ２）の電圧が変化する（影響を受ける）ことが効果的に防止される。
【００４９】
また、スキャン電極群のうちのいずれか（１つ）のスキャン電極にスキャンパルスが供給されると、該スキャン電極群の残りスキャン電極についてはフローティング状態とするようにしたので、一つの復帰スイッチによってスキャン電極群に含まれたスキャン電極を駆動することができる。
例えば、第１復帰スイッチ（ＳＷ１）がターンオンされて第１スキャン電極群（ＹＧ１）のスキャン電極（Ｙ１）にスキャンパルスが供給されると、第１スキャン電極群（ＹＧ１）の残り（他の）スキャン電極、すなわち、スキャン電極（Ｙ３）はフローティング状態とされ、該スキャン電極（Ｙ３）の電圧はスキャンバイアス電圧で維持される。
【００５０】
なお、上記第１実施形態では、第１スキャン電極群（ＹＧ１）のスキャン電極（Ｙ１）、第２スキャン電極群（ＹＧ２）のスキャン電極（Ｙ２）、第１スキャン電極群（ＹＧ１）のスキャン電極（Ｙ３）、第２スキャン電極群（ＹＧ２）のスキャン電極（Ｙ４）の順にスキャンパルスを供給しているが、この順番で供給されないこともある。
例えば、第１復帰スイッチ（ＳＷ１）及びスイッチ（Ｑ２）がターンオンされ、第２復帰スイッチ（ＳＷ２）及びスイッチ（Ｑ１、Ｑ３、Ｑ４）がターンオフされると、スキャン電極（Ｙ２）にスキャンパルスが供給される。次に、スイッチ（Ｑ１）及び第２復帰スイッチ（ＳＷ２）がターンオンされ、スイッチ（Ｑ２、Ｑ３、Ｑ４）及び第１復帰スイッチ（ＳＷ１）がターンオフされると、スキャン電極（Ｙ１）にスキャンパルスが供給される。このような順番、すなわち、第１スキャン電極群（ＹＧ１）のスキャン電極と第２スキャン電極群（ＹＧ２）のスキャン電極とに対し、交互にスキャンパルスが供給されるようにすればよく、そのいずれに対して先にスキャンパルスを供給するかは任意に設定することができる。
【００５１】
図３は、本発明の第２実施形態に係るプラズマディスプレイ装置を示している。上記第１実施形態では、奇数番目のスキャン電極（第１スキャン電極群のスキャン電極）と、偶数番目のスキャン電極（第２スキャン電極群のスキャン電極）とを独立的に駆動するようにしているが、本実施形態（第２実施形態）では、スキャン電極全体が４つの群に分けられ、かかる４つの群を独立的に駆動するようにしている。
【００５２】
図３において、プラズマディスプレイパネル１００は、第１スキャン電極群（ＹＧ１）、第２スキャン電極群（ＹＧ２）、第３スキャン電極群（ＹＧ３）、第４スキャン電極群（ＹＧ４）及びデータ電極（Ｘ１〜Ｘ４）を含んで構成される。
各スキャン電極群（ＹＧ１、ＹＧ２、ＹＧ３及びＹＧ４）のそれぞれに含まれたスキャン電極（Ｙ１〜Ｙ４）は、データ電極（Ｘ１〜Ｘ４）と交差しており、プラズマディスプレイパネル１００は、該交差された領域にあたる放電セルを含む。
【００５３】
例えば、第１スキャン電極群（ＹＧ１）、第２スキャン電極群（ＹＧ２）、第３スキャン電極群（ＹＧ３）、第４スキャン電極群（ＹＧ４）のそれぞれは、（４ｎ−３）番目のスキャン電極、（４ｎ−２）番目のスキャン電極、（４ｎ−１）番目のスキャン電極、（４ｎ）番目のスキャン電極を含むものとすることができる（ｎは自然数である）。
すなわち、第１スキャン電極群（ＹＧ１）は、スキャン電極（Ｙ１、Ｙ５、・・・、Ｙ４ｎ−３）を含み、第２スキャン電極群（ＹＧ２）は、スキャン電極（Ｙ２、Ｙ６、・・・、Ｙ４ｎ−２）を含み、第３スキャン電極群（ＹＧ３）は、スキャン電極（Ｙ３、Ｙ６、・・・、Ｙ４ｎ−１）を含み、第４スキャン電極群（ＹＧ４）は、スキャン電極（Ｙ４、Ｙ８、・・・、Ｙ４ｎ）を含むものとすることができる。
【００５４】
電圧供給部２００は、スキャンバイアス電圧及びスキャン電圧を供給する。スキャンバイアス電圧は、第１電圧（Ｖ１）と第２電圧（−Ｖ２）との合計電圧（Ｖ１−Ｖ２）であり、スキャン電圧は、第２電圧（−Ｖ２）である。ここで、電圧供給部２００の第１端子（Ｔ１）を通じて供給されるスキャンバイアス電圧の基準電圧を、第２端子（Ｔ２）を通じて供給されるスキャン電圧、すなわち、第２電圧（−Ｖ２）としてもよい。
【００５５】
駆動部４００は、電圧供給部２００から第１電圧（Ｖ１）と第２電圧（−Ｖ２）との合計電圧（Ｖ１−Ｖ２）の供給を受けて、スキャンバイアス電圧を第１スキャン電極群（ＹＧ１）〜第４スキャン電極群（ＹＧ４）に供給する。また、駆動部４００は、上記第１実施形態と同様、第１スキャン電極群（ＹＧ１）〜第４スキャン電極群（ＹＧ４）のうちの特定のスキャン電極群に属するいずれか（一つ）のスキャン電極にスキャンパルスを供給すると、この特定のスキャン電極群の属する残りスキャン電極をフローティング状態とする。なお、第２電圧（−Ｖ２）はスキャンパルスの最低電圧に相当する。
【００５６】
駆動部４００は、第１スキャン電極群駆動部４１０と、第２スキャン電極群駆動部４２０と、第３スキャン電極群駆動部４３０と、第４スキャン電極群駆動部４４０とを含む。第１スキャン電極群駆動部４１０〜第４電極群駆動部４４０は、充電遅延部（図中の第１充電遅延部４１１〜第４充電遅延部４４１）、スキャンパルス供給部（図中の第１スキャンパルス供給部４１３〜第４スキャンパルス供給部４４３）、及び、電圧復帰部（図中の第１電圧復帰部４１５〜第４電圧復帰部４４５）を含む。
【００５７】
充電遅延部（第１充電遅延部４１１〜第４充電遅延部４４１）は、電圧供給部２００から合計電圧（Ｖ１−Ｖ２）の供給を受けて、それぞれ対応するスキャン電極群（第１スキャン群（ＹＧ１）〜第４スキャン群（ＹＧ４））にスキャンバイアス電圧を供給する。
充電遅延部（第１充電遅延部４１１〜第４充電遅延部４４１）は、それぞれ抵抗（第１抵抗（Ｒ１）〜第４抵抗（Ｒ４））を含む。ここで、第１抵抗（Ｒ１）〜第４抵抗（Ｒ４）それぞれの連結関係は上記第１実施形態と同一なので詳細な説明は省略する。
【００５８】
スキャンパルス供給部（第１スキャンパルス供給部４１３〜第４スキャンパルス供給部４４３）は、電圧供給部２００から第２電圧（−Ｖ２）を入力し、対応するスキャン電極群（第１スキャン電極群（ＹＧ１）〜第４スキャン電極群（ＹＧ４））に属するいずれか（１つ）のスキャン電極に、該スキャン電極の電圧を最低電圧である第２電圧（−Ｖ２）とするスキャンパルスを供給し、前記特定のスキャン電極群の残りスキャン電極をフローティング状態とする。
スキャンパルス供給部（第１スキャンパルス供給部４１３〜第４スキャンパルス供給部４４３）は、それぞれスイッチ（第１スイッチ（Ｑ１）〜第４スイッチ（Ｑ４））を含んでいる。ここで、第１スイッチ（Ｑ１）〜第４スイッチ（Ｑ４）それぞれの連結関係は上記第１実施形態と同一なので詳細な説明は省略する。
【００５９】
電圧復帰部（第１電圧復帰部４１５〜第４電圧復帰部４４５）は、対応するスキャン電極群のスキャンパルスが供給されたスキャン電極にスキャンバイアス電圧を供給する。
電圧復帰部（第１電圧復帰部４１５〜第４電圧復帰部４４５）は、それぞれ復帰スイッチ（第１復帰スイッチ（ＳＷ１）〜第４復帰スイッチ（ＳＷ４））を含む。ここで、第１復帰スイッチ（ＳＷ１）〜第４復帰スイッチ（ＳＷ４）それぞれの連結関係は上記第１実施形態と同一なので詳細な説明は省略する。
【００６０】
また、駆動部３００は、逆電流を阻むためのブロッキングダイオード（ｂｌｏｃｋｉｎｇ ｄｉｏｄｅ）（ＢＤ１〜ＢＤ４）を含む。
【００６１】
一方、図３における、ＣＤ１−１、ＣＤ１−２、ＣＤ２−１、ＣＤ２−２、ＣＤ３−１、ＣＤ３−２、ＣＤ４−１及びＣＤ４−２は、スキャン電極（Ｙ１〜Ｙ４）の電圧が一定レベル以上となったり、一定レベル以下となったりしないようにするためのクランピングダイオードである。また、レベルシフター（ｌｅｖｅｌ ｓｈｉｆｔｅｒ）５００は、第１復帰スイッチ（ＳＷ１）〜第４復帰スイッチ（ＳＷ４）のターンオン／ターンオフ制御信号を出力する。
【００６２】
次に、図３及び図４を参照して第２実施形態に係るプラズマディスプレイ装置の動作を詳しく説明する。
【００６３】
図４は、第２実施形態に係るプラズマディスプレイ装置のスイッチタイミングを示している。図４におけるスキャン電極（Ｙ１）は、第１スキャン電極群（ＹＧ１）に含まれ、スキャン電極（Ｙ２）は、第２スキャン電極群（ＹＧ２）に含まれ、スキャン電極（Ｙ３）は、第３スキャン電極群（ＹＧ３）に含まれ、スキャン電極（Ｙ４）は、第４スキャン電極群（ＹＧ４）に含まれる。
【００６４】
第１充電遅延部４１１〜第４充電遅延部４４１は、それぞれ電圧供給部２００から合計電圧（Ｖ１−Ｖ２）の供給を受けて第１スキャン群（ＹＧ１）〜第４スキャン群（ＹＧ４）にスキャンバイアス電圧（Ｖｓｂ＝Ｖ１−Ｖ２）を供給する。すなわち、第１充電遅延部４１１〜第４充電遅延部４４１の一端を通じて合計電圧（Ｖ１−Ｖ２）が供給されると、スキャン電極（Ｙ１〜Ｙ４）の電圧が該合計電圧（Ｖ１−Ｖ２）になるまでプラズマディスプレイパネル１００を充電する。
【００６５】
次いで、第１スキャンパルス供給部４１３のスイッチ（Ｑ１）がターンオンされると、スキャン電極（Ｙ１）に、該スキャン電極（Ｙ１）の電圧をスキャンバイアス電圧（Ｖｓｂ）から第２電圧（−Ｖ２）まで下降させるスキャンパルスが供給される。このとき、第２スキャンパルス供給部４２１〜第４スキャンパルス供給部４４１のスイッチ（Ｑ２、Ｑ３、Ｑ４）はターンオフとする。また、第１復帰スイッチ（ＳＷ１）がターンオフされ、第２復帰スイッチ（ＳＷ２）〜第４復帰スイッチ（ＳＷ４）がターンオンとされる。
これにより、第２スキャン電極群（ＹＧ２）〜第４スキャン電極群（ＹＧ４）にスキャンバイアス電圧（Ｖｓｂ）が供給される。この時のスキャンバイアス電圧（Ｖｓｂ）は合計電圧（Ｖ１−Ｖ２）である。
なお、図３には示していないが、スキャン電極（Ｙ１）以外の第１スキャン電極群（ＹＧ１）に属するスキャン電極、すなわち、第１スキャン電極群（ＹＧ１）の残りのスキャン電極（Ｙ５、Ｙ９、・・・）は、フローティング状態となる。これにより、該残りのスキャン電極(Ｙ５、Ｙ９、…)の電圧は、スキャンバイアス電圧（Ｖｓｂ）に維持される。
【００６６】
次いで、第１復帰スイッチ（ＳＷ１）、第３復帰スイッチ（ＳＷ３)及び第４復帰スイッチ（ＳＷ４）がターンオンされ、第２復帰スイッチ（ＳＷ２）がターンオフされる。また、スイッチ（Ｑ１、Ｑ３、Ｑ４）がターンオフされ、スイッチ（Ｑ２）がターンオンされる。
【００６７】
これにより、第１スキャン電極群（ＹＧ１）のスキャン電極（Ｙ１）の電圧は、第２電圧（−Ｖ２）からスキャンバイアス電圧（Ｖｓｂ）まで上昇し、第３スキャン電極群（ＹＧ３）及び第４スキャン電極群（ＹＧ４）のスキャン電極（Ｙ３、Ｙ４）には、スキャンバイアス電圧（Ｖｓｂ）が供給される（すなわち、スキャン電極（Ｙ３、Ｙ４）の電圧はスキャンバイアス電圧を維持する）。
【００６８】
また、第２スキャン電極群（ＹＧ２）のスキャン電極（Ｙ２）には、スキャンバイアス電圧（Ｖｓｂ）から第２電圧（−Ｖ２）まで下降するスキャンパルスが供給される。
なお、図３には示していないが、スキャン電極（Ｙ２）以外の第２スキャン電極群（ＹＧ２）に属するスキャン電極、すなわち、第２スキャン電極群の残りのスキャン電極（Ｙ６、Ｙ１０、…）は、フローティング状態になる。これにより、該残りのスキャン電極（Ｙ６、Ｙ１０、…）の電圧は、スキャンバイアス電圧に維持される。
【００６９】
言い替えれば、スキャンバイアス電圧（Ｖｓｂ）の供給によってプラズマディスプレイパネル１００が充電された状態であるので、第２スキャン電極群（ＹＧ２）に属する残りのスキャン電極（Ｙ６、Ｙ１０、…）がフローティング状態とされると、該残りのスキャン電極（Ｙ６、Ｙ１０、…）の電圧はスキャンバイアス電圧（Ｖｓｂ)に維持される。
【００７０】
次いで、第１復帰スイッチ（ＳＷ１）、第２復帰スイッチ（ＳＷ２）及び第４復帰スイッチ（ＳＷ４）がターンオンされ、第３復帰スイッチ（ＳＷ３）がターンオフされる。また、スイッチ（Ｑ１、Ｑ２、Ｑ４）がターンオフされ、スイッチ（Ｑ３）がターンオンされる。
【００７１】
これにより、第２スキャン電極群（ＹＧ２）のスキャン電極（Ｙ２）の電圧は、第２電圧（−Ｖ２）からスキャンバイアス電圧（Ｖｓｂ）まで上昇し、第１スキャン電極群（ＹＧ１）及び第４スキャン電極群（ＹＧ４）のスキャン電極（Ｙ１、Ｙ４）には、スキャンバイアス電圧（Ｖｓｂ）が供給される（すなわち、スキャン電極（Ｙ１、Ｙ４）の電圧はスキャンバイアス電圧に維持される）。
また、第３スキャン電極群（ＹＧ３）のスキャン電極（Ｙ３）には、スキャンバイアス電圧（Ｖｓｂ）から第２電圧（−Ｖ２）まで下降するスキャンパルスが供給される。
なお、図３には示していないが、スキャン電極（Ｙ３）以外の第３スキャン電極群（ＹＧ３）に属するスキャン電極、すなわち、第３スキャン電極群（ＹＧ３）の残りのスキャン電極（Ｙ７、Ｙ１１、…）は、フローティング状態となる。これにより、第３スキャン電極群（ＹＧ３）の残りのスキャン電極（Ｙ７、Ｙ１１、…）の電圧は、スキャンバイアス電圧（Ｖｓｂ）に維持される。
【００７２】
次いで、第１復帰スイッチ（ＳＷ１）、第２復帰スイッチ（ＳＷ２）及び第３復帰スイッチ（ＳＷ３）がターンオンされ、第４復帰スイッチ（ＳＷ４）がターンオフされる。また、スイッチ（Ｑ１、Ｑ２、Ｑ３）がターンオフされ、スイッチ（Ｑ４）がターンオンされる。
【００７３】
これにより、第３スキャン電極群（ＹＧ３）のスキャン電極（Ｙ３）の電圧は、第２電圧（−Ｖ２）からスキャンバイアス電圧（Ｖｓｂ）まで上昇し、第１スキャン電極群（ＹＧ１）及び第２スキャン電極群（ＹＧ２）のスキャン電極（Ｙ１、Ｙ２）の電圧には、スキャンバイアス電圧（Ｖｓｂ）が供給される（すなわち、スキャン電極（Ｙ１、Ｙ２）の電圧はスキャンバイアス電圧に維持される）。
また、第４スキャン電極群（ＹＧ４）のスキャン電極（Ｙ４）には、スキャンバイアス電圧（Ｖｓｂ）から第２電圧（−Ｖ２）まで下降するスキャンパルスが供給される。
なお、図３には示していないが、スキャン電極（Ｙ４）以外の第４スキャン電極群（ＹＧ４）に属するスキャン電極、すなわち、第４スキャン電極群（ＹＧ４）に属する残りのスキャン電極（Ｙ８、Ｙ１２、…）は、フローティング状態となる。これにより、第４スキャン電極群（ＹＧ４）のスキャン電極（Ｙ８、Ｙ１２、…）の電圧は、スキャンバイアス電圧に維持される。
【００７４】
以上のように、第２実施形態に係るプラズマディスプレイ装置は、全スキャン電極を４つのスキャン群に分けてそれぞれを独立的に駆動する。ここで、スキャン電極は、配列され順番で１つずつ第１スキャン電極群、第２スキャン電極群、第３スキャン電極群、第４スキャン電極群へと順に割り振られている。これにより、第１スキャン電極群に含まれたスキャン電極（Ｙ１）にスキャンパルスが供給されるとき（すなわち、スキャン電極（Ｙ１）の電圧が変化するとき）に、該スキャン電極（Ｙ１）に隣接する第２スキャン電極群に含まれたスキャン電極（Ｙ２）の電圧変化が抑制される。なお、第３スキャン電極群に含まれたスキャン電極（Ｙ３）、第４スキャン電極群に含まれたスキャン電極（Ｙ４）がスキャン電極（Ｙ１）に隣接する場合についても同様である。
【００７５】
例えば、スキャン電極（Ｙ１）にスキャンパルスが供給されるときには、スイッチ（ＳＷ２）がターンオンされ、スキャン電極（Ｙ１）に隣接するスキャン電極（Ｙ２）にはスキャンバイアス電圧（Ｖｓｂ）が供給されるので、スキャン電極（Ｙ１）へのスキャンパルスの供給によって、該スキャン電極（Ｙ１）に隣接するスキャン電極（Ｙ２）の電圧が変化してしまうことが効果的に防止される。
【００７６】
ここで、上記第２実施形態では、スキャン電極（Ｙ１）、スキャン電極（Ｙ２）、スキャン電極（Ｙ３）、スキャン電極（Ｙ４）の順にスキャンパルスが供給されているが、この順にスキャンパルスが供給されないこともある。
【００７７】
図５は、図１及び図４のプラズマディスプレイパネルの概略構造を示している。
図５に示すように、前面基板５０１の上部にはスキャン電極５０２及びサステイン電極５０３を覆う上部誘電体層５０４が位置する。この上部誘電体層５０４は、スキャン電極１０２ｂ及びサステイン電極１０３ｂの放電電流を制限してスキャン電極１０２ｂとサステイン電極１０３ｂの間を絶縁させる。
【００７８】
上部誘電体層５０４の上面には、保護層５０５が配置される。この保護層５０５は、例えば、酸化マグネシウム（ＭｇＯ）を上部誘電体層５０４上部に蒸着することで形成される。
【００７９】
一方、アドレス電極５１３が配置された背面基板５１１の上部には、データ電極（アドレス電極）５１３を覆う下部誘電体層５１５が配置される。この下部誘電体層５１５は、データ電極（アドレス電極）５１３を絶縁させる。
【００８０】
下部誘電体層５１５の上部には、放電セルを区画するための隔壁５１２が配置される。隔壁５１２によって区画された放電セルは、赤色光を出す放電セル（Ｒ）、緑色光を出す放電セル（Ｇ）及び青色光を出す放電セル（Ｂ）を含むことができる。隔壁５１２は互いに交差する第１隔壁５１２ｂと第２隔壁５１２ａを含むことができ、また、第１隔壁５１２ｂの高さと第２隔壁５１２ａの高さが互いに異なるようにすることもできる。
【００８１】
隔壁５１２の間に可視光を放出する蛍光体層５１４が配置される。蛍光体層は、赤色蛍光体層、緑蛍光体層、青色蛍光体層を含むことができ、さらに、白色蛍光体層または黄色蛍光体層の少なくとも一つを含むことができる。
【００８２】
スキャン電極５０２及びサステイン電極５０３は、バス電極（５０２ｂ、５０３ｂ）と透明電極（５０２ａ、５０３ａ）とを含むことができる。
【図面の簡単な説明】
【００８３】
【図１】本発明の第１実施形態に係るプラズマディスプレイ装置を示す図である。
【図２】本発明の第１実施形態に係るプラズマディスプレイ装置のスイッチングタイミングを示す図である。
【図３】本発明の第２実施形態に係るプラズマディスプレイ装置を示す図である。
【図４】本発明の第２実施形態に係るプラズマディスプレイ装置のスイッチタイミングを示す図である。
【図５】図１及び図４のプラズマディスプレイパネルの概略構造を示す図である。
【符号の説明】
【００８４】
１００…プラズマディスプレイパネル、２００…電圧供給部、３００…駆動部、３１０，３２０，４１０，４２０，４３０，４４０…スキャン電極群駆動部、３１１,３２１，４１１，４３１，４３１，４４１…充電遅延部、３１３,３２３，４１３，４２３，４３３，４４３…スキャンパルス供給部、３１５，３２５，４１５，４２５，４３５，４４５…電圧復帰部、ＹＧ１〜ＹＧ４…スキャン電極群、ＳＷ１、ＳＷ２、Ｑ１〜Ｑ４…スイッチ
【図１】
2008276232.tif 000003
【図２】
2008276232.tif 000004
【図３】
2008276232.tif 000005
【図４】
2008276232.tif 000006
【図５】
2008276232.tif 000007